(57)【要約】【課題】  周辺機器の小型化が可能なコネクタを提供する。【解決手段】  レセプタクル１はＵＳＢ  Ｏｎ−Ｔｈｅ−Ｇｏ規格のＭｉｎｉ−ＡプラグやＵＳＢ２．０規格のＭｉｎｉ−Ｂプラグを接続可能な寸法形状とした。また、レセプタクル１には、プラグ２の接続凹部２０に挿入される接続部３２を挟んで、ＵＳＢ規格に対応する第１のポスト４１の反対側に、第２のポスト４２を設けた。さらに、プラグ２には、第１のポスト４１に対応した第１のコンタクト７１に加えて、第２のポスト４２に対応した第２のコンタクト７２を設けた。第２のポスト４２及び第２のコンタクト７２を用いることにより、従来ＵＳＢコネクタを通じて伝送されていたデータに加えて他のデータの伝送も可能となる。従って、他のデータの伝送のために別途にコネクタを追加する場合に比べ、周辺機器の小型化が可能となる。【選択図】図１
2007059351.tif 000002
【特許請求の範囲】
【請求項１】
絶縁材料からなり本体部と本体部から突出した扁平な形状の接続部とを有するベース、それぞれ導電材料からなり接続部の一面において接続部の幅方向に並べて保持された接触部を有する５本の第１のポスト、並びに、ベースの本体部に結合して接続部を収納する嵌合凹部をベースの本体部とともに形成するシェルを有し、ＵＳＢ規格のＭｉｎｉ−ＡプラグとＭｉｎｉ−Ｂプラグとをともに接続可能な寸法形状のレセプタクルと、
レセプタクルの接続部が挿入される接続凹部が設けられ嵌合凹部に嵌合する嵌合部を有するボディ、並びに、それぞれ導電材料からなり接続凹部内に保持されベースの接続部がボディの接続凹部に挿入されたときに第１のポストの接触部に一対一に接触導通する接触部を有する５本の第１のコンタクトを有するプラグとを備えるコネクタであって、
レセプタクルは、それぞれ導電材料からなり接続部において第１のポストの反対面において接続部の突出方向に交差する方向に並べて保持された接触部を有する複数の第２のポストを有し、
プラグは、それぞれ導電材料からなりボディの接続凹部内に保持され接続部がボディの接続凹部に挿入されたときに第２のポストの接触部に接触導通する接触部を有する複数の第２のコンタクトを有することを特徴とするコネクタ。
【請求項２】
第２のコンタクトの接触部は接続凹部の内側へ弾性的に突出し、第２のコンタクトの接触部と第２のポストの接触部との接触圧が第２のコンタクトの接触部の弾性力によって得られることを特徴とする請求項１記載のコネクタ。
【請求項３】
第１のポストの接触部は、接続部の厚さ方向に弾性的に突出するとともに、先端付近において先端を接続部側へ向けて曲げられ、接続部には第１のポストの接触部が弾性変形したときに第１のポストの先端部が収納される退避凹部が設けられ、
第２のポストの先端は退避凹部よりも嵌合凹部のより深くに位置し、接続部において退避凹部が設けられた面の反対面には、接続部において第２のポストの接触部に対向する部位よりも接続部の厚さ方向に突出し突出寸法が第２のポストの接触部の厚さ寸法よりも小さい補強凸部が設けられていることを特徴とする請求項１又は請求項２記載のコネクタ。
【請求項４】
プラグをＵＳＢ規格のＭｉｎｉ−ＡＢレセプタクルの嵌合凹部に対して挿入不可能とする阻止部がプラグに設けられ、阻止部が収納される受容部がレセプタクルの嵌合凹部に設けられていることを特徴とする請求項１〜３のいずれか記載のコネクタ。
【請求項５】
レセプタクルの接続部には第２のポストの接触部が収納される収納溝が設けられ、第２のポストの接触部の、収納溝の底面からの突出寸法を、収納溝の深さ寸法よりも小さくしたことを特徴とする請求個１〜４のいずれか記載のコネクタ。
【請求項６】
プラグの嵌合部は、ＵＳＢ規格のＭｉｎｉ−Ａプラグの嵌合部やＭｉｎｉ−Ｂプラグの嵌合部よりも短手方向の寸法が大きく形成され、レセプタクルの嵌合凹部は、ＵＳＢ規格のＭｉｎｉ−ＡＢレセプタクルの嵌合凹部よりも短手方向の寸法が大きく形成されてプラグの嵌合部が嵌合するものであって、
レセプタクルの嵌合凹部の内面には、ＵＳＢ規格のＭｉｎｉ−Ａプラグの嵌合部において短手方向の寸法が小さい部位を短手方向の両側から僅かに隙間を空けて挟む第１の挟み部と、ＵＳＢ規格のＭｉｎｉ−Ｂプラグの嵌合部において短手方向の寸法が大きい部位を短手方向の両側から僅かに隙間を空けて挟む第２の挟み部とが設けられていることを特徴とする請求項１〜５のいずれか記載のコネクタ。
【請求項７】
第１及び第２のポストはそれぞれベースの本体部を挟んで接続部の反対側に配置されてプリント配線板への実装に用いられる端子部を有し、第２のポストの端子部は接続部の幅方向において第１のポストの端子部を挟む両側にそれぞれ配置されていることを特徴とする請求項１〜６のいずれか記載のコネクタ。
【発明の詳細な説明】
【技術分野】
【０００１】
本発明は、ＵＳＢ規格に準拠したプラグをレセプタクルに接続可能なコネクタに関するものである。
【背景技術】
【０００２】
従来から、パーソナルコンピュータなどのホスト機器と、デジタルカメラなどの周辺機器との接続に用いられるケーブルやコネクタに、ＵＳＢ（Universal Serial Bus）と呼ばれる規格が広く採用されている。
【０００３】
ＵＳＢ規格において、当初から、ホスト機器側に接続されるＡコネクタと、周辺機器側に接続されるＢコネクタとの規格が設定されていた。しかし、近年、周辺機器の小型化に伴い、比較的大型な当初のＢコネクタでは採用が難しくなってきたため、ＵＳＢ２．０規格において、Ｂコネクタを小型化したＭｉｎｉ−Ｂコネクタの規格が設定され、これに準拠したコネクタが提供されている（例えば、特許文献１参照）。さらに、ＰＤＡ（Personal Digital Assistant）とデジタルカメラ、デジタルカメラとプリンタといったように、周辺機器同士を接続したいという需要が高まってきたため、ＵＳＢ２．０の追加規格であるＵＳＢ  Ｏｎ−Ｔｈｅ−Ｇｏ規格において、Ａコネクタを小型化したＭｉｎｉ−Ａコネクタや、Ｍｉｎｉ−ＡコネクタとＭｉｎｉ−Ｂコネクタとのいずれにも接続可能なＭｉｎｉ−ＡＢコネクタといった規格も設定された。
【特許文献１】登録実用新案第３１０９７８２号公報
【発明の開示】
【発明が解決しようとする課題】
【０００４】
ところで、ＤＭＰ（Digital Media Player）などの周辺機器においては、さらなる小型化が要求されている。しかし、ＵＳＢコネクタでは、信号線はシリアル伝送用の一対しか設けられていないため、例えば画像と音声とを同時に伝送したい場合であってＵＳＢコネクタを画像の伝送のみに用いる場合や、高画質の画像や高音質の音のデータを短時間で伝送するためにＵＳＢコネクタの信号線のみで実現可能な速度以上の通信速度を必要とする場合には、音声信号の伝送のためのコネクタや、データの伝送の補助のためのコネクタを別途に設ける必要が生じ、小型化が難しかった。
【０００５】
本発明は上記事由に鑑みて為されたものであり、その目的は、周辺機器の小型化が容易なコネクタを提供することにある。
【課題を解決するための手段】
【０００６】
請求項１の発明は、絶縁材料からなり本体部と本体部から突出した扁平な形状の接続部とを有するベース、それぞれ導電材料からなり接続部の一面において接続部の幅方向に並べて保持された接触部を有する５本の第１のポスト、並びに、ベースの本体部に結合して接続部を収納する嵌合凹部をベースの本体部とともに形成するシェルを有し、ＵＳＢ規格のＭｉｎｉ−ＡプラグとＭｉｎｉ−Ｂプラグとをともに接続可能な寸法形状のレセプタクルと、レセプタクルの接続部が挿入される接続凹部が設けられ嵌合凹部に嵌合する嵌合部を有するボディ、並びに、それぞれ導電材料からなり接続凹部内に保持されベースの接続部がボディの接続凹部に挿入されたときに第１のポストの接触部に一対一に接触導通する接触部を有する５本の第１のコンタクトを有するプラグとを備えるコネクタであって、レセプタクルは、それぞれ導電材料からなり接続部において第１のポストの反対面において接続部の突出方向に交差する方向に並べて保持された接触部を有する複数の第２のポストを有し、プラグは、それぞれ導電材料からなりボディの接続凹部内に保持され接続部がボディの接続凹部に挿入されたときに第２のポストの接触部に接触導通する接触部を有する複数の第２のコンタクトを有することを特徴とする。
【０００７】
この発明によれば、レセプタクルには従来のＭｉｎｉ−ＡプラグやＭｉｎｉ−Ｂプラグを接続可能としながらも、第２のポスト及び第２のコンタクトを用いることにより、従来ＵＳＢコネクタを通じて伝送されていたデータに加えて他のデータの伝送も可能となる。従って、他のデータの伝送のために別途にコネクタを追加する場合に比べ、周辺機器の小型化が可能となる。
【０００８】
請求項２の発明は、請求項１の発明において、第２のコンタクトの接触部は接続凹部の内側へ弾性的に突出し、第２のコンタクトの接触部と第２のポストの接触部との接触圧が第２のコンタクトの接触部の弾性力によって得られることを特徴とする。
【０００９】
この発明によれば、第２のポストを弾性変形させる必要がないので、第２のポストの可動範囲をレセプタクルに確保する必要がないから、レセプタクルの薄型化が可能となる。
【００１０】
請求項３の発明は、請求項１又は請求項２の発明において、第１のポストの接触部は、接続部の厚さ方向に弾性的に突出するとともに、先端付近において先端を接続部側へ向けて曲げられ、接続部には第１のポストの接触部が弾性変形したときに第１のポストの先端部が収納される退避凹部が設けられ、第２のポストの先端は退避凹部よりも嵌合凹部のより深くに位置し、接続部において退避凹部が設けられた面の反対面には、接続部において第２のポストの接触部に対向する部位よりも接続部の厚さ方向に突出し突出寸法が第２のポストの接触部の厚さ寸法よりも小さい補強凸部が設けられていることを特徴とする。
【００１１】
この発明によれば、退避凹部による機械的強度の低下を補強凸部によって補いながらも、補強凸部の突出寸法を第２のポストの接触部よりも小さくしたので、補強凸部がレセプタクルの大型化を招くことがない。
【００１２】
請求項４の発明は、請求項１〜３のいずれかの発明において、プラグをＵＳＢ規格のＭｉｎｉ−ＡＢレセプタクルの嵌合凹部に対して挿入不可能とする阻止部がプラグに設けられ、阻止部が収納される受容部がレセプタクルの嵌合凹部に設けられていることを特徴とする。
【００１３】
この発明によれば、プラグをＭｉｎｉ−ＡレセプタクルやＭｉｎｉ−Ｂレセプタクルに挿入することができないから、プラグがＭｉｎｉ−ＡレセプタクルやＭｉｎｉ−Ｂレセプタクルに誤って挿入されて第２のコンタクトに異物が付着したり第２のコンタクトが破損するようなことを防止することができる。
【００１４】
請求項５の発明は、請求項１〜４のいずれかの発明において、レセプタクルの接続部には第２のポストの接触部が収納される収納溝が設けられ、第２のポストの接触部の、収納溝の底面からの突出寸法を、収納溝の深さ寸法よりも小さくしたことを特徴とする。
【００１５】
この発明によれば、レセプタクルにＭｉｎｉ−ＡプラグやＭｉｎｉ−Ｂプラグが接続された場合にも、Ｍｉｎｉ−ＡプラグやＭｉｎｉ−Ｂプラグの嵌合部に付着していた異物が第２のポストに付着することがない。
【００１６】
請求項６の発明は、請求項１〜５のいずれかの発明において、プラグの嵌合部は、ＵＳＢ規格のＭｉｎｉ−Ａプラグの嵌合部やＭｉｎｉ−Ｂプラグの嵌合部よりも短手方向の寸法が大きく形成され、レセプタクルの嵌合凹部は、ＵＳＢ規格のＭｉｎｉ−ＡＢレセプタクルの嵌合凹部よりも短手方向の寸法が大きく形成されてプラグの嵌合部が嵌合するものであって、レセプタクルの嵌合凹部の内面には、ＵＳＢ規格のＭｉｎｉ−Ａプラグの嵌合部において短手方向の寸法が小さい部位を短手方向の両側から僅かに隙間を空けて挟む第１の挟み部と、ＵＳＢ規格のＭｉｎｉ−Ｂプラグの嵌合部において短手方向の寸法が大きい部位を短手方向の両側から僅かに隙間を空けて挟む第２の挟み部とが設けられていることを特徴とする。
【００１７】
この発明によれば、レセプタクルにＭｉｎｉ−ＡプラグやＭｉｎｉ−Ｂプラグが接続された場合に、第１の挟み部や第２の挟み部によりプラグが支持されるから、接続部のみによってプラグを支持する場合に比べ、プラグをこじった場合にもレセプタクルの接続部に無理な力が加わりにくいから、レセプタクルの接続部が破損しにくい。
【００１８】
請求項７の発明は、請求項１〜６のいずれかの発明において、第１及び第２のポストはそれぞれベースの本体部を挟んで接続部の反対側に配置されてプリント配線板への実装に用いられる端子部を有し、第２のポストの端子部は接続部の幅方向において第１のポストの端子部を挟む両側にそれぞれ配置されていることを特徴とする。
【００１９】
この発明によれば、レセプタクルをプリント配線板に実装する際に、実装面に直交する方向から見て、第１のポストの端子部と第２のポストの端子部とが重ならないので、レセプタクルをプリント配線板へ実装する作業が容易となる。
【発明の効果】
【００２０】
本発明によれば、レセプタクルにはＵＳＢ規格のＭｉｎｉ−ＡプラグやＭｉｎｉ−Ｂプラグを接続可能としながらも、第２のポスト及び第２のコンタクトを用いることにより、従来ＵＳＢコネクタを通じて伝送されていたデータに加えて他のデータの伝送も可能となる。従って、他のデータの伝送のために別途にコネクタを追加する場合に比べ、周辺機器の小型化が可能となる。
【発明を実施するための最良の形態】
【００２１】
以下、本発明を実施するための最良の形態について、図面を参照しながら説明する。
【００２２】
（実施形態１）
本実施形態は、図１（ａ）に示すように従来のＵＳＢ  Ｏｎ−Ｔｈｅ−Ｇｏ規格のＭｉｎｉ−ＡＢレセプタクルと同様の第１のポスト４１に加えて第２のポスト４２を有するレセプタクル１と、図１（ｂ）に示すように第１のポスト４１に対応する第１のコンタクト７１と第２のポスト４２に対応する第２のコンタクト７２とを有するプラグ２とからなる。レセプタクル１は例えば周辺機器が有するプリント配線板（図示せず）に実装され、プラグ２は例えばケーブル（図示せず）の先端に設けられる。以下、上下左右は図１（ａ）を基準とし、図１（ａ）の左下―右上方向並びに図１（ｂ）の右上−左下方向を前後方向として詳しく説明する。また、以下では、ＵＳＢ  Ｏｎ−Ｔｈｅ−Ｇｏ規格（又はＵＳＢ２．０規格）のＭｉｎｉ−Ａ（又はＢ又はＡＢ）プラグ（又はレセプタクル）を、それぞれ単にＭｉｎｉ−Ａ（又はＢ又はＡＢ）プラグ（又はレセプタクル）と呼ぶ。
【００２３】
まず、レセプタクル１について、主に図２（ａ）〜（ｅ）を参照しながら説明する。レセプタクル１は、例えば合成樹脂のような絶縁材料からなり左右に長い直方体形状の本体部３１と本体部３１の前方へ突設された左右に長い扁平な接続部３２とを有するベース３を備える。また、それぞれ帯状の金属板からなり接続部３２の上側において左右に並べて配置された接触部４１ａを有する５本の第１のポスト４１と、それぞれ帯状の金属板からなり接続部３２の下側において左右に並べて配置された接触部４２ａを有する６本の第２のポスト４２とを有する。各ポスト４１，４２は、接触部４１ａ，４２ａの他、ベース３の本体部３１を前後に貫通する形でベース３に保持された保持部４１ｂ，４２ｂと、保持部４１ｂ，４２ｂの後端から下方へ突設されて後方へ曲がったＬ字形状であってプリント配線板への実装に用いられる端子部４１ｃ，４２ｃとを有する。第１のポスト４１の接触部４１ａは、前方へ向かって上方へ傾斜し、接続部３２の上方へ弾性的に突出している。また、前端付近において前端を下方へ向けて曲げられ、第１のポスト４１の前端部の上面は、前方へ向かって下方へ傾斜した傾斜面となっている。
【００２４】
ここで、ベース３は、ベース３を主に構成し後面に凹部３１ａが設けられ第１のポスト４１を例えばインサート成形されて保持する第１のブロック３ａと、第２のポスト４２を例えばインサート成形されて保持し第１のブロック３ａの凹部３１ａに嵌合する第２のブロック３ｂとからなる。各第２のポスト４２の保持部４２ｂは、図３（ａ）に示すように、第２のポスト４２の端子部４２ｃを３個ずつ左右に離すようにそれぞれＳ字形状に曲げられている。そして、左から３番目の第２のポスト４２の端子部４２ｃと右から３番目の第２のポスト４２の端子部４２ｃとの間には、第１のポスト４１の端子部４１ｃが配置される。つまり、第２のブロック３ｂを第１のブロック３ａに結合させた状態では、第１のポスト４１の端子部４１ｃの左右両側に、それぞれ第２のポスト４２の端子部４２ｃが３個ずつ配置される。本実施形態では、上記のように各ポスト４１，４２の端子部４１ｃ，４２ｃを配置したことにより、レセプタクル１をプリント配線板へ実装する際には、プリント配線板の上側から見て、第１のポスト４１の端子部４１ｃと第２のポスト４２の端子部４２ｃとが重ならないので、レセプタクル１をプリント配線板へ実装する作業が容易となる。
【００２５】
また、接続部３２の上下両面には、それぞれ前後に長いポスト収納溝３２ａ，３２ｂが設けられており、第１のポスト４１と、第２のポスト４２とは、それぞれ１個のポスト収納溝３２ａ，３２ｂに１個ずつ配置されている。つまり、互いに隣り合うポスト４１，４２間の絶縁は、絶縁材料からなるベース３によって確保されている。
【００２６】
また、レセプタクル１は、金属板に打ち抜き加工と曲げ加工とが施されてなりベース３の本体部３１に結合して接続部３２の上下左右を囲みベース３の本体部３１との間に嵌合凹部１０を構成するシェル５を備える。シェル５は、ベース３の本体部３１が嵌合する角筒形状の結合部５１と、結合部５１の前方に突設されベース３の接続部３２を囲む角筒形状の包囲部５２と、シェル５の左右に２個ずつ突設された脚部５３とを有する。結合部５１の後端には、ベース３の後側に位置してベース３の後方への脱落を防止する抜け止め部５１ａが、左右から内側へ突設されている。また、各ポスト４１，４２の端子部４１ｃ，４２ｃの下面と、シェル５の結合部５１の下面と、包囲部５２の下面と、脚部５３の下面とは、互いに略面一としてある。脚部５３には切り欠き５３ａを設けてあり、この切り欠き５３ａに対し上下に挿通されてプリント配線板に螺合するねじ（図示せず）によってレセプタクル１をプリント配線板にねじ止め固定することができる。
【００２７】
次に、プラグ２について説明する。プラグ２は、図１（ｂ）に示すように、金属からなる筒状のプラグシェル６０を有する。プラグシェル６０の外形は、嵌合凹部１０よりも僅かに小さい寸法形状としてあり、嵌合凹部１０に嵌合可能となっている。また、プラグシェル６０の内側には、それぞれ例えば合成樹脂のような絶縁材料からなりプラグシェル６０の上下の内面に沿って設けられた第１及び第２のコンタクト保持体６１，６２と、それぞれ帯状の金属板からなりコンタクト保持体６１，６２のうち上側に位置する第１のコンタクト保持体６１に左右に並べて保持された接触部７１ａを有する５本の第１のコンタクト７１と、それぞれ導電材料からなりコンタクト保持体６１，６２のうち下側に位置する第２のコンタクト保持体６２に左右に並べて保持された接触部７２ａを有する６本の第２のコンタクト７２とを備える。つまり、プラグシェル６０と第１のコンタクト保持体６１と第２のコンタクト保持体６２とで請求項におけるボディの嵌合部が構成されている。また、コンタクト保持体６１，６２の間には、レセプタクル１の接続部３２を挿入可能な接続凹部２０が形成されている。
【００２８】
また、各コンタクト保持体６１，６２にはそれぞれ保持するコンタクト７１，７２の数のコンタクト保持溝６１ａ，６２ａを左右に並べて設けてあり、１個のコンタクト保持溝６１ａ，６２ａには１個のコンタクト７１，７２が配置されている。つまり、互いに隣り合うコンタクト７１，７２間の絶縁は、コンタクト保持体６１，６２によって確保されている。
【００２９】
さらに、第２のコンタクト７２の接触部は、後端部が上方へ膨出するように曲げられ、第２のコンタクト保持体６２の上方すなわち接続凹部２０の内側へ弾性的に突出している。
【００３０】
そして、プラグ２をレセプタクル１に接続したとき、すなわち、図４に示すようにプラグシェル６０を嵌合凹部１０に嵌合させて接続凹部２０に接続部３２を挿入したときには、第１のポスト４１の接触部４１ａが第１のコンタクト７１の接触部７１ａに一対一に弾接して接触導通するとともに、第２のコンタクト７２の接触部７２ａが第２のポスト４２の接触部４２ａに一対一に弾接して接触導通する。ここで、第１のポスト４１と第１のコンタクト７１との接触圧は第１のポスト４１の弾性力によって得られ、第２のポスト４２と第２のコンタクト７２との接触圧は第２のコンタクト７２の弾性力によって得られる。従って、第２のポスト４２の周囲には弾性変形のためのスペースを設ける必要がないから、第２のポスト４２を弾性変形可能とする場合に比べてレセプタクル１の小型化が可能となっている。
【００３１】
また、図５に示すように、第１のポスト４１が配置されたポスト収納溝３２ａの底には、プラグ２とレセプタクル１とが接続されて第１のポスト４１が弾性変形したときに第１のポスト４１の接触部４１ａの前端部が収納される退避凹部３２ｃを設けている。さらに、第２のポスト４２の前端は退避凹部３２ｃよりも後側に位置しており、接続部３２において退避凹部３２ｃの下側には、補強凸部３２ｄが下方へ突設されている。すなわち、退避凹部３２ｃで肉厚が小さくなることによる機械的強度の低下を、補強凸部３２ｄを設けることで補っている。また、補強突部３２ｄの突出寸法は、第２のポスト４２の接触部４２ａの厚さ寸法よりも小さくしてある。従って、補強凸部３２ｄがレセプタクル１の大型化を招く事はない。
【００３２】
ここで、本実施形態のレセプタクル１は、第２のコンタクト保持体６２を収容する空間を確保するために接続部３２の下面とシェル５の内面との距離を大きくした点を除いては、Ｍｉｎｉ−ＡＢレセプタクルに準拠した寸法形状としてある。従って、本実施形態のレセプタクル１には、Ｍｉｎｉ−Ａプラグ２Ａ（図６（ａ）参照）やＭｉｎｉ−Ｂプラグ２Ｂ（図６（ｂ）参照）を接続可能となっている。また、レセプタクル２には、それぞれ嵌合凹部１０の内側に弾性的に突出し、Ｍｉｎｉ−Ａプラグ２ＡやＭｉｎｉ−Ｂプラグ２Ｂの嵌合部の上面に設けられた係合凹部（図示せず）に係合して抜け止めする係合片５２ａ，５２ｂを、シェル５の包囲部５２において左右に３個並べて切り起こしにより設けてある。
【００３３】
ここで、接続部３２の下側のコンタクト収納溝３２ｂの底面からの第２のポスト４２の接触部４２ａの突出寸法は、接続部３２の下側のコンタクト収納溝３２ｂの深さ寸法よりも小さくしてあり、第２のポスト４２の接触部４２ａは接続部３２の下方には突出しない。従って、第２のコンタクト７２を有さないＭｉｎｉ−ＡプラグやＭｉｎｉ−Ｂプラグがレセプタクル１に接続された場合にも、第２のポスト４２の接触部４２ａがプラグ２Ａ，２Ｂに接触しないから、プラグ２Ａ，２Ｂに付着していた異物が第２のポスト４２の接触部４２ａに付着することや、第２のポスト４２の破損が抑えられる。
【００３４】
一方、第１のコンタクト保持体６１と第２のコンタクト保持体６２との間の距離は、Ｍｉｎｉ−ＡＢレセプタクルの接続部（図示せず）の厚さ寸法よりも小さくなっているから、Ｍｉｎｉ−ＡＢレセプタクルの嵌合凹部（図示せず）に本実施形態のプラグ２を挿入しようとした場合、Ｍｉｎｉ−ＡＢレセプタクルの接続部にプラグ２の第２のコンタクト保持体６２が干渉することにより挿入が不可能となっている。Ｍｉｎｉ−Ａレセプタクル（図示せず）やＭｉｎｉ−Ｂレセプタクル（図示せず）に挿入しようとした場合も同様である。つまり、第２のコンタクト保持体６２が請求項における阻止部であり、接続部３２の下側に設けられた隙間が請求項における受容部である。ここで仮に、第２のポスト４２を有さないＭｉｎｉ−ＡＢレセプタクルなどの従来のレセプタクルに、第２のコンタクト７２を有するプラグ２を挿入可能とすると、プラグ２が従来のレセプタクルに誤って挿入されたときには、第２のコンタクト７２の接触部７２ａは第２のポスト４２が設けられていない接続部３２の下面に弾接することになるから、接続部３２の下面に付着していた異物が第２のコンタクト７２の接触部７２ａに付着したり、第２のコンタクト７２が破損したりするおそれがある。しかし、本実施形態のプラグ２は上記従来のレセプタクルには挿入できないから、上記のような異物の付着や破損が防止されている。
【００３５】
上記構成によれば、レセプタクル１をＵＳＢコネクタのレセプタクルとして使用可能とし、第１のポスト４１及び第１のコンタクト７１を用いて、従来ＵＳＢコネクタを介して伝送されていたデータの伝送を可能としながらも、第２のポスト４２及び第２のコンタクト７２を用いて、上記データの他のデータの伝送を行うことができるから、上記他のデータの伝送用のコネクタをＵＳＢコネクタとは別途に設ける場合に比べ、周辺機器の小型化が可能となる。
【００３６】
なお、本実施形態では第２のポスト４２及び第２のコンタクト７２をそれぞれ６本としたが、第２のポスト４２や第２のコンタクト７２の本数は上記に限られない。
【００３７】
（実施形態２）
本実施形態の基本構成は実施形態１と共通であるので、共通する部分については同じ符号を付して説明を省略する。
【００３８】
本実施形態は、図７（ａ）（ｂ）に示すように、レセプタクル１及びプラグ２の寸法形状が実施形態１とは異なる。
【００３９】
実施形態１が、第１のコンタクト保持体６１と第２のコンタクト保持体６２との間の距離をＭｉｎｉ−ＡＢレセプタクルの接続部（図示せず）の厚さ寸法よりも小さくすることでプラグ２をＭｉｎｉ−ＡＢレセプタクルに挿入不可能としていたのに対し、本実施形態では、プラグシェル６０の上下の寸法をＭｉｎｉ−ＡＢレセプタクルの嵌合凹部（図示せず）の上下の寸法よりも大きくすることにより、プラグ２をＭｉｎｉ−ＡＢレセプタクルに挿入不可能としている。つまり、プラグシェル６０が請求項における阻止部である。また、上記のようなプラグシェル６０を挿入可能とするため、レセプタクル１においては嵌合凹部１０の上下の寸法を大きくしている。
【００４０】
ところで、図８（ａ）（ｂ）に示すように、Ｍｉｎｉ−Ａプラグ２Ａ及びＭｉｎｉ−Ｂプラグ２Ｂのプラグシェル６０の左右の側面には、それぞれ上側の幅寸法を下側の幅寸法よりも大きくする段６０ａが設けられている。そして、プラグシェル６０の上面と上記の段６０ａとの距離はＭｉｎｉ−Ａプラグ２ＡにおいてＭｉｎｉ−Ｂプラグ２Ｂよりも大きく、プラグシェル６０の下面の幅寸法はＭｉｎｉ−Ｂプラグ２ＢにおいてＭｉｎｉ−Ａプラグ２Ａよりも大きくなっている。
【００４１】
本実施形態のレセプタクル１においては、シェル５の包囲部５２の内面すなわち嵌合凹部１０の内面に、嵌合凹部１０の左右の寸法を上側よりも下側で小さくする段１０ａ，１０ｂが左右に２個ずつ設けられている。上側の段１０ａよりも上側において、嵌合凹部１０の左右の寸法は、Ｍｉｎｉ−Ａプラグ２ＡやＭｉｎｉ−Ｂプラグ２Ｂのプラグシェル６０の左右の寸法よりも僅かに大きくしてある。また、嵌合凹部１０の上面と上側の段１０ａとの距離は、Ｍｉｎｉ−Ａプラグ２Ａのプラグシェル６０の上面と段６０ａとの距離よりも僅かに大きくしてある。
【００４２】
従って、図８（ａ）に示すように、本実施形態のレセプタクル１にＭｉｎｉ−Ａプラグ２Ａを接続したときには、Ｍｉｎｉ−Ａプラグ２Ａのプラグシェル６０の左右の端部、すなわち嵌合部の短手方向の幅寸法が小さい部位が、嵌合凹部１０の上面と上側の段１０ａとの間に僅かに隙間を空けて挟まれる。つまり、嵌合凹部１０の上面と上側の段１０ａとが請求項における第１の挟み部である。
【００４３】
また、下側の段１０ｂと嵌合凹部１０の上面との距離は、Ｍｉｎｉ−Ｂプラグ２Ｂの段６０ａに挟まれた部位の上下の寸法よりも僅かに大きくしてあり、かつ嵌合凹部１０の下側の段１０ｂの間の距離は、Ｍｉｎｉ−Ｂプラグ２Ｂのプラグシェル６０において段６０ａに挟まれる部位の左右の寸法よりも小さくしてある。
【００４４】
従って、図８（ｂ）に示すように、本実施形態のレセプタクル１にＭｉｎｉ−Ｂプラグ２Ｂを接続したときには、Ｍｉｎｉ−Ｂプラグ２Ｂのプラグシェル６０において段６０ａに挟まれる部位、すなわち嵌合部の短手方向の幅寸法が大きい部位が、嵌合凹部１０の上面と下側の段１０ｂとの間に僅かに隙間を空けて挟まれる。つまり、嵌合凹部１０の上面と下側の段１０ｂとが請求項における第２の挟み部である。
【００４５】
ここで、Ｍｉｎｉ−Ａプラグ２ＡやＭｉｎｉ−Ｂプラグ２Ｂがレセプタクル１に接続された場合に、プラグ２Ａ，２Ｂを接続部３２のみによって支持すると、プラグ２Ａ，２Ｂをこじったときに、レセプタクル１の接続部３２に無理な力が加わり、接続部３２が破損することが考えられる。しかし、本実施形態では、第１の挟み部や第２の挟み部によりプラグ２Ａ，２Ｂが支持されるので、プラグ２Ａ，２Ｂをこじった場合にもレセプタクル１の接続部３２に無理な力が加わりにくいから、レセプタクル１の接続部３２が破損しにくい。
【００４６】
なお、嵌合凹部１０ｂにおいて下側の段１０ｂよりも下側の空間には、Ｍｉｎｉ−Ａプラグ２ＡやＭｉｎｉ−Ｂプラグ２Ｂは入ることはなく、図９に示すように本実施形態のプラグ２の下端部が収納される。つまり、上記の空間が請求項における受容部であり、プラグ２の下端部が請求項における阻止部である。
【００４７】
上記構成によれば、実施形態１よりも幾分大型化するものの、略同様の効果を奏する。
【図面の簡単な説明】
【００４８】
【図１】実施形態１を示す斜視図であり、（ａ）はレセプタクルを示し、（ｂ）はプラグを示す。
【図２】同上のレセプタクルを示す図であり、（ａ）は正面図、（ｂ）は平面図、（ｃ）は背面図、（ｄ）は右側面図、（ｅ）は（ａ）のＡ−Ａ断面図を示す。
【図３】同上のレセプタクルの一部を示す図であり、（ａ）は平面図、（ｂ）は正面図、（ｃ）は背面図、（ｄ）は右側面図である。
【図４】同上においてプラグとレセプタクルとを接続した状態を示す断面図である。
【図５】同上のレセプタクルの要部を示す断面図である。
【図６】（ａ）は同上のレセプタクルにＭｉｎｉ−Ａプラグを接続した状態を示す断面図であり、（ｂ）は同上のレセプタクルにＭｉｎｉ−Ｂプラグを接続した状態を示す断面図である。
【図７】実施形態２を示す斜視図であり、（ａ）はレセプタクルを示し、（ｂ）はプラグを示す。
【図８】（ａ）は同上のレセプタクルにＭｉｎｉ−Ａプラグを接続した状態を示す断面図であり、（ｂ）は同上のレセプタクルにＭｉｎｉ−Ｂプラグを接続した状態を示す断面図である。
【図９】同上においてプラグとレセプタクルとを接続した状態を示す断面図である。
【符号の説明】
【００４９】
１  レセプタクル
２  プラグ
３  接続部
５  シェル
１０  嵌合凹部
１０ａ，１０ｂ  段
３２ｂ  ポスト収納溝
３２ｃ  退避凹部
３２ｄ  補強凸部
４１  第１のポスト
４１ａ  接触部
４１ｃ  端子部
４２  第２のポスト
４２ａ  接触部
４２ｃ  端子部
７１  第１のコンタクト
７１ａ  接触部
７２  第２のコンタクト
７２ａ  接触部
【図１】
2007059351.tif 000003
【図２】
2007059351.tif 000004
【図３】
2007059351.tif 000005
【図４】
2007059351.tif 000006
【図５】
2007059351.tif 000007
【図６】
2007059351.tif 000008
【図７】
2007059351.tif 000009
【図８】
2007059351.tif 000010
【図９】
2007059351.tif 000011